(57)【要約】      （修正有）【課題】構造が簡単でメンテナンスが容易であり、耐久性に優れた健康増進器具を提供する。【解決手段】レバー５を動かすと、リンク機構の組み合わせによって使用者１５が持ち上がる構造にすることによって使用者１５の体重が負荷となる健康増進器具とする。レバー５を前に押し出すと上部の短ロッド８がリンクプレート９を回転させ、リンクプレート９が長ロッド１１を引き上げ、平行リンク１３で座席１４に座った使用者１５を持ち上げる。レバーの長さ、リンクの取付位置を変えられるようにすることで負荷を可変にする。【選択図】図１
0003166907.tif 000002
【実用新案登録請求の範囲】
【請求項１】
リンク機構の組み合わせによって、レバーを動かすと使用者自身が持ち上げられる構造を持ち、レバー、リンクの長さを可変とすることで負荷を変えることができるフィットネスマシン。
【考案の詳細な説明】
【技術分野】
【０００１】
本考案は運動器具の分野のものであり、使用者の体重を負荷として利用するフィットネスマシンに関するものである。
【背景技術】
【０００２】
健康増進、筋力アップなどのために様々な器具やフィットネスマシンがあるが、多くのものはウェイトやショックアブソーバーなどを負荷として使っている。
【０００３】
特許文献１ではそれらの代わりに使用者の体重を負荷としたトレーニングマシンが紹介されている。この発明では使用者がサブフレーム上のシートに座りレバーを動かすと、ワイヤー・プーリーを組み合わせた機構によってサブフレームごと使用者を持ち上げる構造になっている。
【先行技術文献】
【特許文献】
【０００４】
【特許文献１】特許公開  平７−１７８１９７  トレーニングマシン
【考案の概要】
【考案が解決しようとする課題】
【０００５】
従来のフィットネスマシンはウェイトをワイヤーで引くタイプやショックアブソーバーを利用して負荷を発生するタイプがほとんどであるが、構造が複雑になり価格が高くなっている。
【０００６】
ウェイトを使うタイプのものでは、ウェイトの総重量は２００〜３００ポンド（約９０〜１３５ｋｇ）程度あり、製造コストとともに運送費も上げる要因になっている。
【０００７】
学校やフィットネスクラブ等に設置されているフィットネスマシンは多数の人が利用し、その使用頻度は家庭用のものと比べて数十倍以上と言われている。そのために耐久性に配慮した作りがなされているが、それでもこまめにメンテナンスが必要であり、耐用年数も長いとは言えない。
【０００８】
そこで、価格が安くメンテナンスが容易で耐用年数の長いフィットネスマシンを提供する。
【課題を解決するための手段】
【０００９】
ウェイトやワイヤー、ショックアブソーバーなどは使わずに、使用者がレバーを動かすとリンク機構の組み合わせにより使用者自身が持ち上げられる構造にすることで、使用者の体重を負荷とするフィットネスマシンを実現する。
【００１０】
リンク機構はできるだけ単純なものにするとともに、レバー、リンクの長さを簡単に調節できる構造にして負荷を可変にする。
【考案の効果】
【００１１】
本考案の健康増進器具は使用者の体重を負荷として利用し、シンプルな機構で構成されているため製作費が安くメンテナンスが簡単であり、ワイヤーなどの消耗部品がないため耐久性も高い。
またウェイトを使用しないため、運搬費も安く済む。
【００１２】
フィットネスクラブなどの会費が決して安くない要因の１つに器具の購入やメンテナンスにかかる経費が大きなことが挙げられる。本考案の器具が普及することで少しでも会費が安くなれば、利用者が増え多くの人の健康増進にも繋がる。
フィットネスクラブ以外でも学校、体育館、スポーツ施設、福祉施設など様々な施設で導入しやすくなる。
【図面の簡単な説明】
【００１３】
【図１】チェストプレスの運動を行うフィットネスマシンの腕を曲げた状態の図
【図２】チェストプレスの運動を行うフィットネスマシンの腕を伸ばした状態の図
【考案を実施するための形態】
【実施例】
【００１４】
図1、２は本考案のフィットネスマシンとしてチェストプレスの運動を行う器具を示している。この運動はレバー５を前に押し出すことによって大胸筋、三角筋、上腕三頭筋などの筋肉を鍛える。
【００１５】
レバー５は使用者がいないときは下に下がった位置にあり座席１４も下がって基台１についている。これは各部に重量がかからないとともにレバー５が邪魔にならないようにするためである。座席１４の下の基台１にはウレタンゴム等の緩衝材２を付ける。これは座席１４が基台１に降りたときに傷がついたり雑音が出るのを防ぐためである。
使用者１５はレバー５を前に出して座席１４に座る。このとき座席１４はやや浮き上がった状態になる。図１はこの状態を表している。
【００１６】
使用者１５は足を浮かせレバー５を前に押し出すことでトレーニングを行う。図２は押し出した時の状態を表している。
使用者１５がレバー５を押すとレバー回転軸７の下の短ロッド８がリンクプレート９を回転させ、リンクプレート９が長ロッド１１を引き上げることにより平行リンク１３が上がり、使用者１５を持ち上げる。このとき使用者１５の体重が負荷となる。
レバー５を戻すときも負荷を受けながらゆっくり腕を曲げることにより、押し出すときと両方で筋力アップの効果がある。
【００１７】
本考案ではレバー５の長さを調節可能とすることで、負荷を変えられるようにする。
レバーは1本のパイプとその中にぴったり挿入できる径のパイプを組み合わせ、内側のパイプの差し込み深さを調整することにより長さを変える。
目的の長さで固定するにはパイプに複数の穴を設け最適な位置でボルトやピンで止める方法、傘の柄のように内側のパイプに付けられた鋼球やプレートが外側のパイプの穴と一致したときバネの力によって頭を出すようにする方法をはじめ、特許公開              ２００６−２４９７０５「入れ子状パイプ接続構造における無段階長さ調節装置」や実用新案公開平５−６０５１「簡易テント」に述べられている柱の長さを固定する方法等がある。
【００１８】
子供や高齢者など筋力があまりない人、反対に筋力がアップしてさらに負荷を増やしたい場合などに対応するため、ロッド８、１１の取付位置を変えられるようにする。変えるのはレバー５の下側の短ロッド８の取付位置及び平行リンク１３の上側の長ロッド１１の取付位置である。
取付位置を変えることでリンクの長さが変わり負荷が変わるが、レバーの角度や姿勢が変わってしまうことの無いよう、取付穴はそれぞれのロッド８、１１の長さを半径とした円周上に並んでいる。
【符号の説明】
【００１９】
１…基台
２…緩衝材
３…支柱
４…フレーム
５…レバー
６…レバー長調整機構
７…レバー回転軸
８…短ロッド
９…リンクプレート
１０…リンクプレート回転軸
１１…長ロッド
１２…補助支柱
１３…平行リンク
１４…座席
１５…使用者
【図１】
0003166907.tif 000003
【図２】
0003166907.tif 000004
【手続補正書】
【提出日】平成23年1月26日(2011.1.26)
【手続補正１】
【補正対象書類名】実用新案登録請求の範囲
【補正対象項目名】全文
【補正方法】変更
【補正の内容】
【実用新案登録請求の範囲】
【請求項１】
使用者の体重を負荷として利用するチェストプレスの運動を行うフィットネスマシンであって、
上部を支点とするレバー、短ロッド、リンクプレート、長ロッド、平行リンク上及びその上に取り付けられた座席で構成され、
使用者が座席に座ってレバーを押すと、レバー上部に付けられた短ロッドがリンクプレートを回転させ、リンクプレートに付けられた長ロッドが平行リンクを介して座席を持ち上げることにより使用者の体重が負荷となる構造を持ち、
レバーを入れ子状のパイプ構造にして長さを調節可能にし、短ロッドのレバー側取付穴及び長ロッドの平行リンク側取付穴を複数にして取付位置を変えられるようにすることで、リンクの長さを変え負荷を変えることができるフィットネスマシン。